(57)【要約】【課題】パネルを十分な強度で固定することができる表示モジュール及び携帯端末装置を提供する。【解決手段】フレーム８をベース５に固定すると、クッション７は、フレーム８から押圧されて弾性変形し、自身の弾性力により液晶パネル６をベース５側に押圧する。このクッション７の弾性力とベース５に貼付された両面テープによる接着力とにより、液晶パネル６は、ベース５に強固に固定される。【選択図】  図１
2005260429.tif 000002
【特許請求の範囲】
【請求項１】
表示素子が設けられたパネルと、
このパネルを保持するベースと、
このベースに係合され、前記パネルを固定するフレームと
から構成されることを特徴とする表示モジュール。
【請求項２】
前記パネルと前記フレームとの間に配設される弾性部材
をさらに備えることを特徴とする請求項１記載の表示モジュール。
【請求項３】
前記ベースは、爪を有し、
前記フレームは、前記爪と係着する係合手段を有する
ことを特徴とする請求項１または２記載の表示モジュール。
【請求項４】
前記フレームは、金属から構成される
ことを特徴とする請求項１乃至３の何れか１項に記載の表示モジュール。
【請求項５】
前記フレームは、アースを有する
ことを特徴とする請求項１乃至４の何れか１項に記載の表示モジュール。
【請求項６】
請求項１乃至５の何れか１項に記載の表示モジュールを備えたことを特徴とする携帯端末装置。
【請求項７】
前記表示モジュールを配設するケースを有し、
このケースは、内部に前記アースと接続されるアース手段を有する
ことを特徴とする請求項６記載の携帯端末装置。
【発明の詳細な説明】
【技術分野】
【０００１】
本発明は、携帯端末装置に関するものであり、特に携帯端末装置の表示モジュールに関するものである。
【背景技術】
【０００２】
近年、携帯電話機、ＰＨＳ(Personal Handy-phone System)、ＰＤＡ(Personal Digital Assistant)等の携帯端末装置における高機能化は著しく、電子メール機能やテレビ電話機能等を備えた装置が登場している。
その電子メールやテレビ電話等の機能を利用する際、携帯端末装置のディスプレイは大きい方が使い勝手がよい。このため、携帯端末装置のディスプレイについては、大型化が望まれている。一方、携帯端末装置本体については、従来より小型化が促進されており、現在においてもさらなる小型化が望まれている。このようなディスプレイの大型化と装置本体の小型化を同時に実現するために、ディスプレイの表示エリアを表示素子が設けられたパネルの外形に近づけることが従来より行われている（例えば、特許文献１〜３参照。）。
なお、出願人は、本明細書に記載した先行技術文献情報で特定される先行技術文献以外には、本発明に関連する先行技術文献を出願時までに発見するには至らなかった。
【特許文献１】特開２００２−３２００１０号公報
【特許文献２】特開２００３−１０１２５０号公報
【特許文献３】特開２００３−２４９９９１号公報
【発明の開示】
【発明が解決しようとする課題】
【０００３】
しかしながら、上述したように表示エリアをパネル外形に近づけると、表示モジュールへのパネルの固定が不十分になるという課題が発生していた。
例えば、液晶ディスプレイの場合、板状の液晶パネルと、この液晶パネルが両面テープで固定された板状のベースとから構成される表示モジュールを、スクリーンが配設されたフロントケースとリアケースとから構成される携帯端末装置の筐体でスクリーンと液晶パネルとの間にクッションを介して挟み込むことにより、携帯端末装置に固定している。ここで、ベースの液晶パネルと対向する面（接着面）側には液晶パネルとスクリーンを透過する透過光を生成するバックライトが設けられており、輝度の低下や表示むらを防ぐためにも、液晶パネルのベースと対向する面（裏面）全面を両面テープでベースに固定することはできない。そこで、液晶パネル裏面の表示エリアを除く部分、すなわち液晶パネルの外縁部分を両面テープによりベースに固定している。このため、液晶パネルの表示エリアを液晶パネルの外形に近づけると、必然的に液晶パネルの外縁部分も小さくなる。すると、液晶パネルとベースとを固定する両面テープの面積も小さくなるので十分な接着強度を確保できず、液晶パネルをベースに十分に固定することができなかった。
したがって、もし、携帯端末装置本体を落下させる等により携帯端末装置本体に衝撃が加わると、液晶パネルは、ベースに十分に固定されていないため、ベースから外れてスクリーンや筐体に衝突して破損する恐れがある。
【０００４】
なお、防塵用にスクリーンと液晶パネルとの間に設けたクッションの弾性力で液晶パネルをベース側に押圧することにより、両面テープの接着力を補って液晶パネルをベースに固定することも考えられる。しかしながら、この方法では、クッションを介して液晶パネルの熱がスクリーンに伝わり、スクリーンをフロントケースに固定する接着剤の接着強度がその熱の影響で低下する。結果としてスクリーンがフロントケースから浮くまたは外れるという現象が生じてしまう。
【０００５】
本願発明は上述したような課題を解決するためになされたものであり、パネルを十分な強度で固定することができる表示モジュールおよび携帯端末装置を提供することを目的とする。
【課題を解決するための手段】
【０００６】
上述したような課題を解決するために本発明にかかる表示モジュールは、表示素子が設けられたパネルと、このパネルを保持するベースと、このベースに係合され、前記パネルを固定するフレームとから構成されることを特徴とする。この発明によれば、パネルは、ベースとフレームとで狭持されることにより、ベースに固定される。
【０００７】
上記表示モジュールにおいて、前記パネルと前記フレームとの間に配設される弾性部材をさらに備えるようにしてもよい。
また、上記表示モジュールにおいて、前記ベースは、爪を有し、フレームは、前記爪と係着する係合手段を有するようにしてもよい。この発明によれば、フレームは、ベースの爪を係合手段に係着させてフレームとベースとが係合することにより、ベースに固定される。
また、上記表示モジュールにおいて、前記フレームは、金属から構成されるようにしてもよい。
また、前記フレームは、アースを有するようにしてもよい。
【０００８】
本発明にかかる携帯端末装置は、上記表示モジュールを備えたことを特徴とする。
この携帯端末装置において、前記表示モジュールを配設するケースを有し、このケースは、内部に前記アースと接続されるアース手段を有するようにしてもよい。この発明によれば、携帯端末装置に発生した静電気は、アース手段により外部に開放される。
【発明の効果】
【０００９】
本発明によれば、パネルをベースとフレームとにより狭持することにより、パネルは十分な強度でベースに固定される。
また、本発明によれば、フレームは、ベースの爪に係合手段を係着させることによりベースと係合し、ベースに取り外し可能に固定される。したがって、パネルに不具合が生じた場合でも、表示モジュール全体を交換せずに、パネルのみを交換することができるので、メンテナンスが容易になるとともに、コストダウンを実現できる。
また、本発明によれば、フレームを金属で構成することにより、表示モジュールおよび携帯端末装置の剛性を上げることができる。
【発明を実施するための最良の形態】
【００１０】
以下、図面を参照して、本発明の実施の形態について詳細に説明する。
図１は、本実施の形態にかかる携帯電話機の分解図である。なお、本実施の形態では、携帯端末装置として携帯電話機を適用して説明するが、例えばＰＨＳ、ＰＤＡ、携帯ゲーム機などディスプレイを有する携帯端末装置であれば各種携帯端末装置に適用することができる。
【００１１】
本実施の形態にかかる携帯電話機は、表面にスクリーン２１が設けられた上側筐体１と、表面に操作キー等が設けられた図示しない下側筐体とが接続部２２を介して折りたたみ可能に接続された折りたたみ式携帯電話機である。
なお、本発明は、パネルの構造に特徴を有するものである。したがって、以下にする本実施の形態の説明において、下側筐体の説明は省略する。同様に、通話機能、電子メール機能、テレビ電話機能等の携帯電話機が実現する各種機能およびこれらの機能を実現するためのハードウェア構成およびソフトウェアの説明も適宜省略する。
また、本発明は、上述したようにパネルの保持構造に特徴を有するものなので、本実施の形態で説明する折りたたみ式携帯電話機のみならず、一体型、スライド式、回転式等パネルを有する携帯電話機であれば各種携帯電話機に適用することができる。
【００１２】
上側筐体１は、スクリーン２１が設けられたフロントケース２と、このフロントケース２と対となるリアケース３とが組み合わさることにより構成される略直方体の箱の形状を有し、これらのフロントケース２とリアケース３との間には液晶モジュール４が少なくとも配設される。
【００１３】
フロントケース２は、図１によく示されるように、略直方体形状を有し、リアケース３と対向する面と反対側の面に開口部２３が設けられており、この開口部２３に板状の透明部材からなるスクリーン２１が接着剤等により固定される。また、フロントケース２の一辺には、図示しない下側筐体と接続される接続部２２が設けられている。さらに、フロントケース２の内側の所定の位置には、金属が蒸着したアース部が設けられている。
リアケース３は、図１によく示されるように、フロントケース２と対向する面（開口面）が開口した略直方体の形状を有する。また、リアケースの内側の所定の位置には、金属が蒸着したアース部が設けられている。
このようなフロントケース２とリアケース３とは、それぞれの開口面を当着させた状態で爪やねじ等の公知の接続手段により係着されることにより、箱状の上側筐体１を構成する。
【００１４】
液晶モジュール４は、ベース（液晶フレーム）５と、このベースに固定される液晶パネル６と、この液晶パネル６上に配設されるクッション７と、ベース５と協働して液晶パネル６およびクッション７を狭持するフレーム８とから構成される。
【００１５】
ベース５は、一つの面（開口面）が開口した略直方体形状を有し、その開口面と対向する接着面５１にバックライトが配設されている。また、ベース５の対向する一組の変の側面の外側には、爪５２が設けられている。
液晶パネル６は、板状の形状を有し、液晶素子が設けられている。液晶パネル６の外形は、ベース５の開口面に対応している。このような液晶パネル６は、裏面をベース５の接着面に対向させた状態で、両面テープによりベース５に固定される。
クッション７は、液晶パネル６の表示エリアに対応する開口を有する平面視略矩形の枠状の形状を有し、ウレタン等の弾性力を有する公知の緩衝材から構成される。このようなクッション７は、液晶パネル６が固定されたベース５の開口面側に配設される。
【００１６】
フレーム８は、図２によく示されるように、平面視略矩形の枠状の形状を有し、液晶パネル６の表示エリアに対応する開口８１を有する。図２は、フレーム８の構成を示す斜視図である。フレーム８の枠８２の対向する一組の辺には、ベース５の爪５２が係着する係合部８３がそれぞれ２つずつ設けられており、それらの辺と異なる一辺には、２つのアース８４が設けられている。
このようなフレーム８は、ステンレス等の導電性および加工性に優れた金属材料から構成される。これにより、液晶モジュール４および携帯端末装置の剛性を上げることが可能となる。
なお、爪５２および係合部８３の数量は、適宜自由に設定することが可能である。また、爪５２および係合部８３の形状は、それぞれが協働することによりベース５とフレーム８とが係合して、フレーム８がベース５に固定されるのであれば、図１，２に示す形状に限定されず、適宜自由に変形させることができる。
【００１７】
上記構成要素からなる液晶モジュールは、次のように組み立てられる。
まず、ベース５の接着面の縁部に両面テープを貼る。この両面テープには、液晶パネル６の表示エリアに対応する開口が形成されている。
次に、液晶パネル６をベース５に固定する。具体的には、液晶パネル６の裏面とベース５の接着面とを対向させた状態で、液晶パネル６をベース５の開口面からベース５内部に導入し、液晶パネル６をベース５の接着面上に載置する。ベース５の接着面には両面テープが貼られており、この両面テープと液晶パネル６の縁部とが接触すると、両面テープの接着力によりベース５と液晶パネル６とが固定される。ここで、両面テープには液晶パネル６の表示エリアに対応する開口が設けられている。したがって、ベース５に設けられたバックライトから出力される光線は、両面テープを介さずに液晶パネル６の表示エリアに導入される。
【００１８】
次に、クッション７を液晶パネル６が固定されたベース５の開口面に載置する。クッション７には、液晶パネル６の表示エリアに対応する開口が設けられている。この開口と液晶パネル６の表示エリアとを対向させた状態で、液晶パネル６をベース５上に載置する。ここで、クッション７の厚さは、クッション７をベース５に載置した際に、ベース５と対向する面の反対側の面がベース５の開口面よりも高くなるように、すなわち図１を正面視した状態で上下方向を縦方向とすると、ベース５の開口面よりも縦方向において上側に位置するように設定する。
【００１９】
次に、フレーム８をクッション７が載置されたベース５の開口面に配設する。具体的には、フレーム８の開口８１をベース５の開口面に対向させ、フレーム８の係合部８３をベース５の爪５２に係着させる。すると、図３に示すように、液晶モジュール４が組み立てられる。図３は、液晶モジュール３の構成を示す斜視図である。
このように、本実施の形態によれば、フレーム８の係合部８３をベース５の爪５２に係着させることによりフレーム８とベース５とを係合させ、これらにより液晶パネル６を狭持することにより、液晶パネル６はベース５に十分な強度で固定される。
【００２０】
また、フレーム８の枠８２は、ベース５の開口面よりも縦方向に上側に、ベース５に載置されたクッション７よりも縦方向に下側になるよう形成されている。したがって、フレーム８の係合部８３をベース５の爪５２に係着させて、フレーム８をベース５に固定すると、クッション７は、フレーム８から押圧されて弾性変形し、自身の弾性力により液晶パネル６をベース５側に押圧する。このクッション７の弾性力とベース５に貼付された両面テープによる接着力とにより、液晶パネル６は、ベース５に強固に固定される。
【００２１】
また、本実施の形態によれば、フレーム８は、係合部８３をベース５の爪５２に係着させることにより、ベース５に取り外し可能に固定される。これにより、液晶パネル６単品の交換が可能となる。したがって、液晶パネル６に不具合が生じた場合でも、液晶モジュール４全体を交換せずに液晶パネル６のみを交換することができるので、メンテナンスが容易になるとともに、コストダウンも実現できる。
【００２２】
上述したように組み立てられた液晶モジュール４は、図４，５に示すように上側筐体１内部に配設される。図４（ａ）は、上側筐体１の平面図、図４（ｂ）は、図４（ａ）のI-I線断面図、図４（ｃ）は、上側筐体１の要部断面図である。また、図５（ａ）は、上側筐体１の平面図、図５（ｂ）は、図５（ａ）のIII-III線断面図、図５（ｃ）は、上側筐体１の要部断面図である。
図４（ｃ）によく示されるように、クッション７は、ベース５上にクッション７を載置した際に、枠状の部分がベース５の開口面の縁部から液晶パネル６の縁部に延在するように形成されている。これにより、クッション７は、ベース５がフレーム８により傷付くのを防ぐ。
【００２３】
図６は、携帯電話機に発生する静電気の経路を示す模式図である。
従来では、携帯電話機に発生した静電気が、図６に示す経路ｂを通って、液晶パネル６を破損する恐れがあった。しかしながら、本実施の形態によれば、図５（ｃ）によく示されるように、液晶モジュール４が上側筐体１に配設された際、フレーム８は、スクリーン２１と対向するように配設され、フレーム８のアース８４は、フロントケース２とリアケース３とに直接に接触するよう配設される。このフロントケース２とリアケース３のアース８４と接触する部分には、上述したアース部が設けられている。この構造により、携帯電話機に発生した静電気は、図６に示す経路ａ、すなわちスクリーン２１とフロントケース２との間からこれらの近傍に配設されたフレーム８、アース８４およびアース部を介して、グランドに放出される。これにより、静電気により液晶パネル６が破損されるのを防ぐことが可能となる。
【００２４】
なお、本実施の形態において、フレーム８は、液晶パネル６をベース５に固定するよう説明したが、所定のフレームに有機ＥＬ(Electro Luminescence)やＦＥＤ(Field Emission Display)等の任意のパネルを固定することも可能である。
【図面の簡単な説明】
【００２５】
【図１】本実施の形態にかかる携帯電話機の分解図である。
【図２】フレーム８の構成を示す斜視図である。
【図３】液晶モジュール３の構成を示す斜視図である。
【図４】（ａ）上側筐体１の平面図、（ｂ）図４（ａ）のI-I線断面図、（ｃ）上側筐体１の要部断面図である。
【図５】（ａ）は、上側筐体１の平面図、（ｂ）図５（ａ）のII-II線断面図、（ｃ）上側筐体１の要部断面図である。
【図６】携帯電話機に発生する静電気の経路を示す模式図である。
【符号の説明】
【００２６】
１…上側筐体、２…フロントケース、３…リアケース、４…液晶モジュール、５…ベース、６…液晶パネル、７…クッション、８…フレーム、２１…スクリーン、２２…接続部、２３…開口部、５１…接着面、５２…爪、８１…開口、８２…枠、８３…係合部、８４…アース。
【図１】
2005260429.tif 000003
【図２】
2005260429.tif 000004
【図３】
2005260429.tif 000005
【図４】
2005260429.tif 000006
【図５】
2005260429.tif 000007
【図６】
2005260429.tif 000008